(57)【要約】      （修正有）【課題】磁石を包含し、当該磁石の磁力により他の物体に吸着可能な物体であって、素材選択に制限がされず、当該物体の任意の位置で他の物体に吸着する性能を有する磁石包含体を提供する。【解決手段】内部に球状の磁石１１を収納する空孔部１３を有し、空孔部１３内に収納される磁石１１の磁力により他の物体へ吸着可能な磁石包含体１０であって、球状の磁石が空孔部１３内を自在に回転、又は移動して、磁石包含体１０をその任意な位置で、他の物体へ吸着する磁石包含体１０が提供される。さらに、上記の発明構成をとることで、特に被包体自体が反転せずに自由な組合せが求められる玩具、文具や用具等への幅広い用途提供と応用展開が可能である。【選択図】図１
2019093072.tif 000002
【特許請求の範囲】
【請求項１】
磁力により他の物体に吸着可能な物体であって、
当該物体が球状の磁石と、
前記磁石を収納する空孔部と、を備え、
前記空孔部は、前記磁石が回転可能な大きさであって、当該空孔部が有する高さや幅のうち、少なくとも一つが、前記磁石の径に対して該磁石を回転可能とする自由度を加味した長さであること、を特徴とする磁石包含体。
【請求項２】
前記空孔部の形状が、球状であることを特徴とする請求項１に記載の磁石包含体。
【請求項３】
前記磁石包含体は、磁力により相互に吸着可能な玩具、文具又は用具のいずれかの用途に供されるものであること、を特徴とする請求項１及び２に記載の磁石包含体。
【請求項４】
前記磁石包含体のうち、玩具が、磁力により相互に吸着可能な積木であること、を特徴とする請求項１から請求項３のうちいずれか１に記載の磁石包含体。
【発明の詳細な説明】
【技術分野】
【０００１】
本発明は、磁石を包含し、当該磁石の磁力により他の物体に吸着可能な物体に係るものであり、その用途としては、例えば、磁力により相互に吸着可能な玩具、文具又は用具に関するものである。
【背景技術】
【０００２】
従来より、物体を他の物体に吸着可能とするために磁石の磁力を利用することは広く知られており、当該物体の側面等に磁石を配設した物や、物体の内部に磁石を包含した物が、文房具や台所用品、玩具など様々な分野で見受けられる。
このような磁石の磁力を用いて物体を吸着する場合において、磁力を有する物体同士を吸着させようとすると、それぞれの持つ磁性がＮ極Ｓ極の異極同士であれば両物体は吸着するが、同極同士、すなわちＮ極同士もしくはＳ極同士であれば両物体は互いに反発することになる。つまり、物体を吸着させる方向が、当該物体が持つ磁石の極の向きにより規制される結果、複数連結のための吸着の自由度が制限される。
【０００３】
この問題を解決するために、複数のブロックを連結方向が規制されずに任意の方向に磁気的に連結する技術が開示されているが、後述のとおり未だ不十分である（特許文献１）。
すなわち、特許文献１記載の技術では、ブロックは、複数の平面部を有し、該平面部のそれぞれの内側に形成された磁石保持部と、該磁石保持部内に、該磁石保持部に対する平面部に対して直角な想像上の軸線廻りに回転自在に収納された永久磁石からなる。
しかし、特許文献１記載の技術では物体の吸着させるすべての面の内側に、磁石を回転自在に収納する必要がある。従って、当該技術は平面領域を有する物体のみに有効であり、物体が平面領域を有するとしても、当該平面の面積が小さい場合には、その内側に収納される磁石も小さくなることから、当該磁石の磁気は弱くなり、当該物体を他の物体へ吸着させるに十分な磁力が得られないほか、これら構造上に起因する欠点として、磁石を被包する材質の選択制約が挙げられる。具体的には、木材等の強磁場が要求される材質には使用できない。木材は、その安全性やデザイン性をはじめ耐久性にも優れるため、玩具やインテリア小物を含む用具や文具に最適な素材である。
【０００４】
また、物体の有する平面の数や、平面の面積の大きさによっては、所望の形状に加工作製すること自体が非常に困難でもある。
さらに、特許文献１に記載の永久磁石は円盤状であり、磁力に劣るところ、被包する材質に磁気特性を生かしやすい樹脂を採用したとしても、回転時の磁性ムラやロスによって安定な吸着力が得られず、瞬時に思うような吸着連結物の形成が図れない。
【先行技術文献】
【特許文献】
【０００５】
【特許文献１】特開平８−２５７２５２号公報
【発明の概要】
【発明が解決しようとする課題】
【０００６】
本発明は、上記問題に鑑みてなされたものであり、磁石を包含し、当該磁石の磁力により他の物体に吸着可能な物体であって、素材選択に制限がされず、当該物体の任意の位置で他の物体に吸着する性能を有する磁石包含体とその用途を提供することを目的とする。
【課題を解決するための手段】
【０００７】
本発明者は、上記の課題を解決すべく、特に被包体中における磁石の移動の自由度および磁力の強弱、被包体については、吸着連結物の玩具・デザイン性を加味した形状のバリエーションに着目し鋭意検討した結果、球状の磁石と被包体に応じた空孔領域の保持によって所望の効果が発揮されることを見出し、本発明を完成した。また当該磁石包含体が、玩具のほかに、文具や用具等の日用品にも応用できることを見出し、本発明を完成した。
【０００８】
すなわち、本発明によれば、所望の以下の磁石包含体が提供される。
（１）磁力により他の物体に吸着可能な物体であって、当該物体が球状の磁石と、前記磁石を収納する空孔部と、を備え、前記空孔部は、前記磁石が回転可能な大きさであって、当該空孔部が有する高さや幅のうち、少なくとも一つが、前記磁石の径に対して該磁石を回転可能とする自由度を加味した長さであること、を特徴とする磁石包含体。
（２）前記空孔部の形状が、球状であることを特徴とする（１）に記載の磁石包含体。
（３）前記磁石包含体は、磁力により相互に吸着可能な玩具、文具又は用具のいずれかの用途に供されるものであること、を特徴とする（１）及び（２）に記載の磁石包含体。
（４）前記磁石包含体のうち、玩具が、磁力により相互に吸着可能な積木であること、を特徴とする（１）から（３）のうちいずれか１に記載の磁石包含体。
【０００９】
ここで、上記４つの発明の構成をさらに、説明する。
発明（１）において、球状の磁石とは、Ｎ極とＳ極の磁性を有する半球状のスチールを繋合したものであって、大きさの調整は任意である。球の大きさは、被包体の大きさとこれに呼応する空孔部領域において、磁石の回転自由度を調整する場合に適宜採択し得るものである。また、磁力の強弱を調整する場合にも球のサイズは任意に選択し得るものであるが、磁石を構成する素材の選択によってもその至適なサイズは適宜採択し得るものである。
【００１０】
磁束密度は、用途や被包体の材質もしくは形状により適宜調整可能であり、特に制約されないが、本発明の用途においては、通常50ｍｔ（500Ｇａｕｓｓ）乃至250ｍｔ（2500Ｇａｕｓｓ）、好ましくは100ｍｔ（1000Ｇａｕｓｓ）乃至200ｍｔ（2000Ｇａｕｓｓ）で調整された磁石を使用する。例えば、木材を採択した積み木のときには、吸着力のバランスの点から、約170ｍｔ（1700Ｇａｕｓｓ）が至適である。
磁石素材（材質）についても、上記磁束密度を提供しうるものであれば、特に制約はないが、価格等事業採算性を考慮すると、例えば、バリウム系フェライトである人工ヘマタイト（磁気入り赤鉄鉱）が代表例として挙げられる。その他にも本発明の目的を達成し得るものであれば、広く使用に供しうるものである。球面は常法により、コーティングを施して使用に供するものである。
【００１１】
被包体の素材（材質）は特に制限されることなく、樹脂製、アルミなどの強磁性体でない金属、スポンジ、ゴム、コルク、ガラス、粘土及び木材いずれも選択し得る。
これらの材質は、用途に応じて自由に選択すれば良いが、本発明においては、木材製をも選択できる点が従来ではなし得なかった技術の最大の特徴である。用途によっては、高級感、デザイン性を加味するとやはり木材が好ましいことから、木材適応性を実現した本発明の意義は大変大きいものである。また、積み木などの玩具としての用途を考えた場合には、木材が安全性や創造性にも優れている。木材はその種類によって、手触り感、硬さ、芳香、音、色及び光沢等の質感が異なるため、提供し得る発明品の範囲は広範にわたるものである。
【００１２】
このように、木材をも素材として選択し得るのは、磁石の球体形状と被包体内部の空孔領域のバランスの妙にある。
被包体内部の空孔領域は、球状の磁石ゆえに、移動の自由度さえ確保される形状であれば、そのバリエーションが広がり、基本形の立方体のみならず、例えば、円柱、三角錐、星型その他の多面体等のあらゆる形状の採択が可能である（後述の図１乃至図５）。移動度を変化させるためには、例えば、内部に絶縁物を設置することにより達成し得るが、これによって磁石包含体の形状バリエーションはさらに拡充し得るものである。
【００１３】
本発明における磁石包含体の最大限の特徴は、被包体の内容物である磁石そのものが自由に回転することから、本発明の磁石包含体を複数吸着したい場合でも、従来のような被包体側の反転がないため、瞬時に自由な吸着連結物が創作できることにある。
被包体と被包体内部の磁石移動度とのバランス関係によって構成された磁石包含体ゆえに、いろんな用途への応用性が広がる。
例えば、玩具としては積み木があげられるが、本発明の様々な形状を有する磁石包含体の縦横自由な吸着によって、遊びのバリエーションが拡大し楽しさを与えるのみならず、木材を選択することにより、樹脂に比べ破損の可能性が少なく使用上の安全性が担保できる。
【００１４】
被包体は様々の形状をとり得るところ、本発明の磁石包含体の表面に絵柄をデザインすると、例えば、ジグソーパズルが提供できる。当該ジグソーパズルは、三次元であることから、二次元のジグソーパズルとは一味違った組み合わせが享受できる他、図柄を似たものにすることで難易度が調整できるため、大人にも楽しめるユニークなパズルが提供できるものである。
また、数字を表面に描けば、足し算引き算の頭の体操パズルを提供でき、アルファベット等を描けば英語やその他の単語練習グッズを提供し得るものである。
さらに、表面を無模様にすることで、キャンバスとして図柄を描くことも可能であり、個人のオリジナルデザイングッズが楽しめる。
【００１５】
オフィスでの用途も種々考えられ、例えば、キュービックカレンダーやクリップ止めが挙げられる。文具としては、例えば、被包体にペーパー差し込み用の切込みを入れることで、デスク周辺のいろんなところにメモを設置でき、メモ止めマグネットが提供できる。
また、ピース形状の工夫によって、吸着構造物としてもいろんな形を創造し得ることから、例えば、オブジェやインテリアデザインにも利用できる。
用具としては、医療系や介護系であれば、例えば、マッサージグッズやリハビリ用具としての健康用具が挙げられる。
雑貨としての用途もありうる。例えば、鍋敷き、カード立て、キッチン用ツール（フック付き）等の日用品及び生活雑貨が挙げられる。
【発明の効果】
【００１６】
本発明の請求項１記載によれば、磁力により他の物体に吸着可能な物体であって、当該物体の内部に、球状の磁石と、前記磁石を収納する空孔部と、を備え、前記空孔部は、前記磁石が回転可能な大きさであって、当該空孔部が有する高さや幅のうち、少なくとも一つが、前記磁石の径に対して該磁石を回転可能とする自由度を加味した長さであるので、磁力を用いて、物体を任意の位置で他の物体に吸着することができる。
また、本発明の請求項２記載によれば、前記空孔部の形状が、球状であるので、磁石が空孔部内を移動せず、磁力を用いて、物体を任意の位置で他の物体に吸着することができる。
さらに、上記の発明構成をとることで、特に被包体自体が反転せずに自由な組合せが求められる玩具、文具や用具等への幅広い用途提供と応用展開が可能である。
【図面の簡単な説明】
【００１７】
【図１】本実施形態における磁石包含体１０の構造を示す斜視図とその正面断面図である。
【図２】本実施形態における磁石包含体１０と磁石包含体１０’とが吸着する状態を示す断面図である。
【図３】本実施形態における磁石包含体２０と磁石包含体３０とが吸着する状態を示す斜視図である。
【図４】本実施形態における窪み４５を有する磁石包含体４０の構造を示す斜視図と磁石包含体４０と磁石包含体４０’とが吸着する状態を示す斜視図である。
【図５】本実施形態における各磁石包含体の構造を示す斜視図である。
【発明を実施するための形態】
【００１８】
以下、本発明の磁石包含体における好適な実施の形態について、図１から図５を参照して詳細に説明するが、本発明の権利範囲は、当該実施の形態によって限定されるものではない。
（１）実施形態の概要
本発明は、内部に球状の磁石を収納する空孔部を有し、空孔部内に収納される磁石の磁力により他の物体へ吸着可能な物体であって、球状の磁石が空孔部内を自在に回転、又は移動して、磁石包含体をその任意な位置で、他の物体へ吸着する磁石包含体とその用途を提供するものである。
【００１９】
（２）実施形態の詳細
図１は、磁石包含体１０の構造を示す斜視図とその正面断面図を表したものである。
磁石包含体１０は、磁石１１と磁石１１を包含する包含体１２により構成される。
磁石１１は、球状の異方性磁石を用いる。磁石１１を球状とすることで、後述する空孔部１３内での磁石１１の回転又は移動が容易となり、磁石１１に加わる回転時の衝撃も軽減される。また、異方性磁石を用いることで、等方性の磁石を用いる場合に比して磁石包含体１０は強い磁力を有することができる。
【００２０】
磁石１１に必要な磁力は、磁石１１の磁力が包含部１２の外部へ及ぶことで磁石包含体１０を他の物体へ吸着することから、包含体１２を形成する素材や、空孔部１３から包含体１２の外部までの距離等により決定される。また、磁石包含体１０の用途によっても、磁石１１が必要とする磁力は異なる。例えば、包含体１２の素材が木材であり、図１に示す立方体であって、その用途が玩具等である場合には、空孔部１３（円周輪郭部）から包含体１２（外形輪郭部）までの最短距離部領域における磁束密度は、１７０ミリテスラ程度が好適である。
磁石１１の種類は、成形の容易性及び磁力の強度の観点からバリウム系フェライトなどのフェライト磁石が好ましいが、上述のとおり、磁石１１に必要な形状及び磁力が得られる磁石であれば良い。
【００２１】
包含体１２は、包含体１２ａと包含体１２ｂからなり、その内部に磁石１１を収納するための空孔部１３を有する。
包含体１２は、立方体の形状で、その高さの中央より上（包含体１２ａ）、下（包含体１２ｂ）に別れる。包含体１２ａと包含体１２ｂとは、接合部１４により互いに接合して、球状の空孔部１３を形成する。
包含体１２の形状は立方体に限らず、様々な形状の直方体や錐、球、多面体とすることができる。
【００２２】
この場合において、包含体１２は、その高さ中央より包含体１２ａと包含体１２ｂに分離するとは限らず、磁石包含体１０の制作過程において包含体１２ａと包含体１２ｂとが形成する空孔部１３に磁石１１が挿入できる構成であればよい。例えば、包含体１２が長方体である場合には、その長手方向の底面部分を包含体１２ｂとし、包含体１２ｂが包含体１２ａに対する蓋となる構成としてもよい。磁石包含体１０の形状によっては、接合部１４の位置が磁石包含体１０の強度に影響するため、包含体１２は、包含体１２ａと包含体１２ｂとが磁石包含体１０の強度を最も保てる位置で接合するよう構成することが好ましい。
【００２３】
本実施形態における包含体１２は、木製である。
磁石を内蔵する玩具等の外装の多くはプラスチック材が用いられる。包含体１２を木製とすることで、木材は天然の素材であるため、磁石包含体１０に接するユーザーは、その見た目や触り心地から温かみを感じることができる。
磁石包含体１０に接するユーザーが乳幼児である場合には、該乳幼児が磁石包含体１０を口に入れたり、舐めたりすることが考えられる。包含体１２が木製である場合には、外装がプラスチック製であるものに比べ、乳幼児が磁石包含体１０を口に入れたり、舐めたりしても化学薬品等を摂取する心配がないため、より安全である。
包含体１２が破損した場合も、木製であればプラスチック製に比してその修復は容易である。
【００２４】
また、磁石包含体１０の用途に合わせ、包含体１２に使用する木材の種類を変えたりすることで、磁石包含体１０を自然なイメージにも高級なイメージにもすることができる。
その他、包含体１２が木製である場合には、包含体１２を成形後にも塗料の塗布が容易であり、包含体１２に細かい彩色を施すなどして、磁石包含体１０のデザイン性をより高めることができる。
磁石包含体１０を複数組み合わせて使用する際には、磁石１１の磁力により磁石包含体１０は互いに吸着するが、包含体１２が木製である場合には、その吸着の際に包含体１２同士がぶつかりあう音もプラスチック製とは異なり温かみのある音である。
このように、包含体１２に用いる素材は、木材が好ましいが、磁力を通し、空孔部を形成して磁石を回転又は移動可能に収納するよう成型できる素材であれば良い。
【００２５】
接合部１４は、包含体１２ａと包含体１２ｂとを接合する。図１に示す立方体においては、接合部１４は平面であり、接合部１４に接着剤を塗布して包含体１２ａと包含体１２ｂとを接合する。
接合部１４の形状は包含体１２ａと包含体１２ｂの構成により異なる。例えば、上述の包含体１２ｂが蓋となる構成とする場合には、接続部１４を平面として包含体１２ｂで包含体１２ａの開口部を塞ぐように構成しても良い。包含体１２ａの接合部１４を溝として、これに包含体１２ｂの接合部１４が螺合する形状をとる構成や、包含体１２ａの接合部１４を凸部、包含体１２ｂの接合部１４を凹部として、包含体１２ａと包含体１２ｂの接合部１４を嵌合する構成としてもよい。
接合部１４は、磁石包含体１０の強度を最も保てる方法で包含体１２ａと包含体１２ｂとを接合する形状であることが好ましい。
【００２６】
空孔部１３は、球状であり、包含体１２の内部中央に設けられる。空孔部１３の径は、磁石１１の径に対して磁石１１を回転可能とする自由度を加味した長さである。自由度には磁石包含体１０の内部に設けられた空孔部１３でのＮＳ反発応力に基づく回転性、移動性の概念を含む。
空孔部１３を球状とすることで、その形状を磁石１１の径に自由度を加味した高さを有する立方体とする場合よりも、空孔部１３内で磁石１１がより回転しやすくなる。また、空孔部１３を包含体１２の内部中央に設けることで磁気包含体１０の有する各面に均等に磁石１１の磁力を及ぼすことができる。
【００２７】
空孔部１３は磁石１１の磁力が包含体１２の各面の外部に及ぶ位置に設けられる。磁石包含体１０の用途から、包含体１２の有する面の何れかに磁石１１の磁力が及ばないことが必要である場合には、空孔部１３は、磁石１１の磁力が及ぶ必要のない包含体１２の面へ磁石１１の磁力が及ばない位置へ設けることができる。
空孔部１３の形状は、球状に限られず、直方体や円柱、コの字型やＬ字型など、包含体１２の外部に磁石１１の磁気を及ぼすに適した形状をとる。
【００２８】
この場合において、例えば、空孔部１３が直方体などであって、複数の辺を有する場合、空孔部１３の対向する辺はそれぞれ平行であり、対向する少なくとも一対の辺の間の長さ、つまり空孔部１３の何れかの高さが、磁石１１の径に対して磁石１１を回転可能とする自由度を加味した長さとなる。つまりは、空孔部１３は、空孔部１３の相対する少なくとも２つの面により磁石１１を挟み込む構成を取る。
空孔部１３が円柱などである場合には、高さ、もしくは底面の径が、磁石１１の径に対して磁石１１を回転可能とする自由度を加味した長さとなる。
【００２９】
空孔部１３の形状が球状でない場合には、磁石１１は空孔部１３内を移動することとなる。空孔部１３の何れかの高さを磁石１１の径に対して磁石１１を回転可能とする自由度を加味した長さとし、空孔部１３の面により磁石１１を挟み込むことで、空孔部１３内で磁石１１は当該面に沿って移動する。これにより、磁石１１が空孔部１３内でその移動の際に飛び跳ねることがない。
空孔部１３は、包含体１２が木製であることから、その木材の種類によっては成形の過程においてバリやキズ等が生じる事がある。空孔部１３は、その内部で磁石１１が円滑に回転、又は移動するために、バリやキズが無いことが好ましい。空孔部１３を研磨することで、磁石１１は空孔部１３内をより容易に回転、又は移動することができる。
その他、磁石１１が空孔部１３内をより容易に回転、又は移動するために、空孔部１３にコーティングを施しても良い。
【００３０】
空孔部１３内を磁石１１が移動する際に、磁石１１が空孔部１３の磁石１１を挟み込む面以外の壁面に接触することがある。磁石１１にフェライト磁石を用いる場合には、フェライト磁石の特性上割れやすいため、磁石１１が空孔部１３の当該壁面に接触を繰り返すと磁石１１が割れてしまうことがある。
磁石１１の破損を防ぐため、空孔部１３は、磁石１１を挟み込む面以外の面を、磁石１１の径に対して磁石１１を回転可能とする自由度を加味した長さを直径とする半円の形状に膨出する構成とすることができる。磁石１１が空孔部１３の壁面に面で接触することになるため、点で接触する場合に比して磁石１１に加わる衝撃を軽減することができる。また、空孔部１３に緩衝材としてコルクなどを貼り付け、磁石１１に加わる衝撃を軽減するようにしても良い。
【００３１】
空孔部１３は、磁石１１の空孔部１３内の移動距離が長い場合には、磁石１１を挟み込む面のうち少なくとも一面に窪みを設けることができる。例えば、空孔部１３が直方体である場合に、その長手方向の中心に細長い窪みを設ける。空孔部１３の長手方向の一端に位置する磁石１１を他端へ移動する際に、磁石１１が空孔部１３の一端から他端へ一度に移動せず、長手方向中央に設けられた窪み上で係止可能となる。これにより、空孔部１３内の磁石１１を、他の物体に吸着させたい位置の近傍に静止させることができる。
【００３２】
窪みの形状は細長い窪みや、磁石１１の外縁に応じた円状の窪みでも良い。空孔部１３内での磁石１１の移動する軌跡が単一である場合には、細長い窪みを、空孔部１３内での磁石１１の移動する軌跡がランダムである場合には、外縁に応じた円状の窪みを、磁石包含体の用途を勘案して設けることで、空孔部１３内の磁石１１を様々な位置で係止することができる。
なお、窪みの深さは、磁石１１が係止でき、かつ磁石１１が外部からの磁力影響を受けた際に、磁石１１が平面上にある場合に比して、より強い磁力を要することなく磁石１１が窪みから抜け出せる深さとする。
【００３３】
次に、以上のように構成された実施形態の動作（本発明品の吸着機序）について説明する。
図２は、本実施形態における磁石包含体１０と磁石包含体１０’とが横並びに配置され、相互に吸着する状態を示す断面図である。
磁石包含体１０へ磁石包含体１０’を近づけると、磁石包含体１０内の磁石１１と磁石包含体１０’内の磁石１１’とは互いにその磁力の影響を受ける。
磁石包含体１０内の磁石１１と磁石包含体１０’内の磁石１１’が同一の極性同士で面している場合には、磁石１１と磁石１１’とは互いに反発し合う。磁石１１と磁石１１’とが互いに反発する結果、その反発力により、磁石１１または磁石１１’の何れかが回転してその極が反転する。これにより、磁石包含体１０内の磁石１１と磁石包含体１０’内の磁石１１’は異極同士で面することとなり、それぞれの磁力により互いに吸着することとなる。
【００３４】
図３は、本実施形態における磁石包含体２０と磁石包含体３０とが吸着する状態を示す斜視図である。
磁石包含体２０は直方体であり、その内部に直方体の空孔部２３を有する。磁石２１は、重力により空孔部２３の底面に位置している。
磁石包含体３０は球であり、その内部に球状の空孔部３３を有し、空孔部３３の内部に磁石３１を有する。
【００３５】
磁石包含体３０を、磁石包含体２０上の吸着させたい位置へ近づけると、磁石包含体２０内の磁石２１と、磁石包含体３０内の磁石３１とは互いにその磁力の影響を受ける。
磁石包含体２０内の磁石２１と磁石包含体３０内の磁石３１が同一の極性同士で面している場合には、磁石２１と磁石３１とは互いに反発し合う。磁石２１と磁石３１とが互いに反発する結果、その反発力により、磁石２１または磁石３１の何れかが回転してその極が反転する。これにより、磁石包含体２０内の磁石２１と磁石包含体３０内の磁石３１は異極同士で対することとなり、それぞれの磁力により互いに引き付け合うこととなる。
この場合において、磁石包含体３０を磁石包含体２０上の吸着させたい位置へ固定すると、磁石３１と磁石２１の磁力により、磁石包含体２０内の空孔部２３の底面に位置する磁石２１が磁石３１へ引き付けられる。その結果、磁石２１は、空孔部２３内を磁石３１に対向する位置まで移動し、磁石包含体３０は磁石包含体２０上の任意の位置に吸着する。
【００３６】
他方、磁石２１が空孔部２３内を磁石３１の位置まで移動するより前に、磁石包含体３０を磁石包含体２０上で流動させると、磁石包含体３０は磁石包含体２０よりも軽いため、磁石包含体３０は磁石包含体２０内の空孔部２３の底面に位置する磁石２１へ引き付けられる。その結果、磁石３１は磁石２１に対向する位置まで移動し、磁石包含体３０は磁石包含体２０上の磁石２１の位置に吸着する。
磁石包含体２０と磁石包含体３０とが吸着した状態で、磁石包含体３０を移動することでも、磁石包含体３０を磁石包含体２０上の任意の位置へ移動することができる。
図３の例は、球状磁石が１個で構成される磁石包含体のケースであるが、磁石包含体の内部を任意に仕切ることで、ｎ個の球状磁石を包含することができるため、上述の吸着態様は一様に留まらず、多様な吸着機序で構成された連結物を創造することを可能にし、これまでにない遊びの楽しさを提供すことができる。
【００３７】
図４は、窪み４５を有する磁石包含体４０の構造を示す斜視図、及び磁石包含体４０と磁石包含体４０’とが吸着する状態を示す斜視図である。
図４を参照して、磁石が空孔部内を移動する磁石包含体である磁石包含体４０と、磁石包含体４０と同じ形状の磁石包含体４０’において、磁石４１と磁石４１’とをそれぞれの磁石包含体中央にて吸着させる場合について述べる。
磁石包含体４０の包含体４２ａ側を上面として、その上に磁石包含体４０’を、その包含体４２’ｂが下面となるように載せる。磁石４１と磁石４１’は、それぞれの磁力により互いに引き付け合いながら、空孔部４３，空孔部４３’内をそれぞれ移動し、結果、磁石４１と磁石４１’とは吸着する。
【００３８】
しかし、磁石包含体４０に磁石包含体４０’を載せる際には、磁石４１と磁石４１’がそれぞれの空孔部の何れの位置にあるかわかないため、両磁石はどこで吸着するかわからない。
この場合に、空孔部が有する窪みを使用して、磁石４１と磁石４１’とをそれぞれの磁石包含体中央にて吸着させることができる。
磁石包含体４０を傾けることで、空孔部４３内の磁石４１が移動し、空孔部４３内の何れの位置に磁石４１があるかが確認できる。
続いて、確認した磁石４１の位置に応じて磁石包含体４０を傾け、磁石４１を磁石包含体４０の中央へ移動させる。空孔部４３は、その中央に窪み４５を有する。空孔部４３の中央は磁石包含体４０の中央である。
磁石４１を空孔部４３の中央の窪み４５で係止させる。
【００３９】
磁石４１を空孔部４３の中央の窪み４５で係止するために、上述の磁石包含体３０を利用しても良い。磁石包含体３０を磁石包含体４０の包含体４２ａ側上面に置くと、磁石３１と磁石４１は吸着する。磁石包含体３０を、磁石３１と磁石４１とが吸着した状態のまま、磁石包含体４０の中央へ移動する。そして、磁石包含体３０を磁石包含体４０の中央で磁石包含体４０から引き離し、磁石４１を空孔部４３の中央の窪み４５に係止する。
同様の方法で、磁石包含体４０’の磁石４１’を、空孔部４３’の中央の窪み４５へ係止する。
最後に、磁石包含体４０’を磁石包含体４０の上に載せる。
以上により、空孔部が有する窪みを使用して、磁石包含体４０と、磁石包含体４０’とをそれぞれの中央にて吸着させることができる。
【００４０】
図５は、各磁石包含体の構造を示す斜視図であり、磁石包含体を積木として使用する場合の例である。
磁石包含体５０は三角錐である。この場合において、空孔部の形状も三角錐である場合、空孔部の底面とその側面とで磁石を保持することで、磁石を挟み込む構成を取ることができる。
磁石包含体６０は円柱である。空孔部の形状も円柱であり、空孔部の底面の直径を、磁石の径に対して磁石を回転可能とする自由度を加味した長さとすることで、空孔部の側面により磁石を挟み込む構成を取ることができる。
磁石包含体７０はＬ字型であり、その空孔部も略Ｌ字型である。空孔部の対向する上面と下面の２つの面により磁石を挟み込む構成を取る。
磁石包含体８０は長方体であり、その空孔部も長方体であって、空孔部の対向する左右の２つの面により磁石を挟み込む構成を取る。
【００４１】
図５に示すように、これらの様々な形状をした複数の磁石包含体を様々な位置で吸着することができる。
磁石包含体７０と磁石包含体８０とを互いに吸着すると、吸着した位置を中心として何れの磁石包含体も平行に回転することが可能である。例えば、図５に示すように、磁石包含体７０と磁石包含体８０とを複数組合せて門の形状を作成した場合に、磁石包含体７０を回転することで門の開け閉めを行うことができる。
【００４２】
磁石包含体１０と磁石包含体３０とを複数組合せて車の形状を作成した場合、作製した形状を維持したまま遊ぶことができる。
通常の積木で作成した形状は、凹凸等により強く連結している場合を除き、壊れやすく、その作製した形状を維持したまま遊ぶことは困難である。本実施形態における磁石包含体を使用すれば、作製した形状を遊ぶ際にも維持する事ができ、また、凹凸により連結する積木に比して、作品の形状の変更も容易である。
【００４３】
磁石包含体は磁力により吸着するため、複数の磁石包含体がある場合に、これを紛失することがない。
乳幼児や低年齢の子供の外出時のおもちゃにも最適である。磁力により相互に吸着することから、複数の磁石包含体を手に握らせたとしても、磁石包含体単体が手から滑りおちることもない。特に乳幼児や低年齢の子供においては、磁力により複数の磁石包含体が吸着する様子や、磁石包含体同士が吸着する際に木と木がぶつかって生じるカチカチという音も興味深い観察対象となりうる。
【００４４】
その他、磁石包含体は事務用品としても使用することができる。例えば、立方体や球の磁石包含体の各面を、球であればその面を任意に分割して、これに異なる彩色を施す。
これをホワイトボード等に吸着させて使用すれば、これまで色ごと複数用意する必要があったマグネットを、磁石包含体１つでまかなうことができる。赤は在籍、青は不在などの在籍管理など、色を用いて何かしらを表現しようとする場合に有益である。
【００４５】
以上、説明したように本実施形態の磁石包含体によれば、包含体内部に空孔部を設け、空孔部内に球状の磁石を収納することとしたので、磁石包含体の任意の位置で他の物体に磁石包含体を吸着することができる。
【００４６】
以上、本発明の磁石包含体における実施形態について説明したが、本発明は説明した実施形態に限定されるものではなく、各請求項に記載した範囲において各種の変形を行うことが可能である。
【符号の説明】
【００４７】
１０  磁石包含体
１１  磁石
１２  包含体
１３  空孔部
１４  接合部
２０  磁石包含体
２１  磁石
２３  空孔部
３０  磁石包含体
３１  磁石
４０  磁石包含体
４１  磁石
４２  包含体
４３  空孔部
４５  窪み
５０  磁石包含体
６０  磁石包含体
７０  磁石包含体
８０  磁石包含体
【図１】
2019093072.tif 000003
【図２】
2019093072.tif 000004
【図３】
2019093072.tif 000005
【図４】
2019093072.tif 000006
【図５】
2019093072.tif 000007